(57)【要約】【課題】給湯装置におけるエネルギ使用量や使用湯量の内訳を管理してユーザ利便性を高める。【解決手段】給湯システムの電源オン時には、単位時間でのエネルギおよび／または湯水の使用量を検出する処理（Ｓ１００）、浴槽でのエネルギおよび／または湯水の使用を伴う所定の運転指示の実行期間であるか否かの判定（Ｓ１２０）、所定の運転指示の実行期間であるか否かによって、第１および第２の積算値（ＳＵＭ１，ＳＵＭ２）のいずれかに検出された使用量を積算する処理（Ｓ１２０、Ｓ１３０）が繰り返し実行される。【選択図】図２
2018105565.tif 000002
【特許請求の範囲】
【請求項１】
浴槽を給湯先に含む給湯システムであって、
前記給湯システムから供給される湯水の使用量および給湯のためのエネルギの使用量の一方の使用量を検出するための検出手段と、
ユーザによって入力された運転指示に応じて前記給湯システムの動作を制御するための制御手段と、
ユーザに対して前記一方の使用量に関する表示を行うための表示部とを備え、
前記制御手段は、
前記浴槽に関連する湯水およびエネルギの消費を伴う所定の運転指示の実行期間における、前記検出手段によって検出された前記一方の使用量の積算値を求めるための第１の積算手段と、
前記所定の運転指示の非実行期間における前記一方の使用量、ならびに、前記実行期間および前記非実行期間を通じた前記一方の使用量の少なくともいずれかの積算値を求めるための第２の積算手段とを含み、
前記表示部は、前記第１の積算手段によって求められる第１の積算値に係る第１の情報と、前記第２の積算手段によって求められる第２の積算値に係る第２の情報とを、同一画面上に並べて、あるいは、同一画面にて切換えて表示する、給湯システム。
【請求項２】
前記浴槽が配設された浴室に配置された人感知センサをさらに備え、
前記制御手段は、
前記所定の運転指示の非実行期間のうちの前記人感知センサによって前記浴室に人が検知された期間における、前記検出手段によって検出された前記一方の使用量の積算値を求めるための第３の積算手段をさらに含み、
前記表示部は、少なくとも、前記第１の情報と、前記第３の積算手段によって求められる第３の積算値に係る第３の情報とを、同一画面上に並べて、あるいは、同一画面にて切換えて表示する、請求項１記載の給湯システム。
【発明の詳細な説明】
【技術分野】
【０００１】
この発明は、給湯システムに関し、より特定的には、エネルギおよび／または湯の使用量の表示機能を有する給湯装置に関する。
【背景技術】
【０００２】
ユーザの省エネルギ意識を喚起させる目的で、給湯装置におけるエネルギ使用量や使用湯量の表示を行うことが、たとえば、特開２０１１−１７９８１０号公報（特許文献１）に記載されている。
【０００３】
特許文献１の構成によれば、エネルギ使用量について、単位時間当たりの値と累積値とを一画面に表示することによって、ユーザの利便性を高めることができる。
【先行技術文献】
【特許文献】
【０００４】
【特許文献１】特開２０１１−１７９８１０号公報
【発明の概要】
【発明が解決しようとする課題】
【０００５】
しかしながら、特許文献１では、エネルギ使用量の内訳に関する情報は表示されない。このため、ユーザがエネルギ使用量の抑制を図るための情報を十分に提供できていないことが懸念される。一方で、使用量の内訳を把握するために新たなセンサ等を配置することはコストアップにつながるため好ましくない。
【０００６】
この発明はこのような問題点を解決するためになされたものであって、この発明の目的は、簡易な手法によって給湯装置におけるエネルギ使用量および／または使用湯量の内訳を管理してユーザ利便性を高めることである。
【課題を解決するための手段】
【０００７】
この発明のある局面では、浴槽を給湯先に含む給湯システムは、検出手段と、制御手段と、表示部とを備える。検出手段は、給湯システムから供給される湯水の使用量および給湯のためのエネルギの使用量のうちの一方の使用量を検出する。制御手段は、ユーザによって入力された運転指示に応じて給湯システムの動作を制御する。制御手段は、第１および第２の積算手段を含む。第１の積算手段は、浴槽に関連する湯水およびエネルギの消費を伴う所定の運転指示の実行期間における、検出手段によって検出された一方の使用量の積算値を求める。第２の積算手段は、所定の運転指示の非実行期間における一方の使用量、ならびに、実行期間および非実行期間を通じた一方の使用量の少なくともいずれかの積算値を求める。表示部は、ユーザに対して一方の使用量に関する表示を行う。表示部は、第１の積算手段によって求められる第１の積算値に係る第１の情報と、第２の積算手段によって求められる第２の積算値に係る第２の情報とを、同一画面上に並べて、あるいは、同一画面にて切換えて表示する。
【０００８】
上記給湯システムによれば、ユーザから入力される運転指示の峻別による簡易な判定によって、給湯システムでのエネルギまたは湯水の使用量について、浴槽での使用量を管理して、浴槽以外での使用量またはトータル使用量と比較表示することが可能となる。この結果、ユーザが使用量を節約するためのアクションを取り易くなるので、ユーザ利便性を高めることができる。
【０００９】
また好ましくは、給湯システムは、浴槽が配設された浴室に配置された人感センサをさらに備える。制御手段は、第３の積算手段をさらに含む。第３の積算手段は、所定の運転指示の非実行期間のうちの人感センサによって浴室に人が検知された期間における、検出手段によって検出された一方の使用量の積算値を求める。表示部は、少なくとも、第１の積算手段によって求められる第１の積算値に係る第１の情報と、第３の積算手段によって求められる第３の積算値に係る第３の情報とを、同一画面上に並べて、あるいは、同一画面にて切換えて表示する。
【００１０】
このように構成すると、エネルギおよび／または湯水の使用量について、トータル使用量から、浴槽での使用量およびシャワー使用量を細分化して管理することができるとともに、細分化された、浴槽での使用量およびシャワー使用量を比較表示することができる。この結果、使用量を節約するためのアクションをさらに取り易くなるので、ユーザ利便性がさらに高められる。
【発明の効果】
【００１１】
この発明によれば、簡易な手法によって給湯装置におけるエネルギ使用量および／または使用湯量の内訳を管理してユーザ利便性を高めることができる。
【図面の簡単な説明】
【００１２】
【図１】実施の形態１に係る給湯システムの構成を説明するためのブロック図である。
【図２】実施の形態１に係る給湯システムにおける使用量管理のための制御処理を説明する第１のフローチャートである。
【図３】実施の形態１に係る給湯システムにおける使用量管理のための制御処理を説明する第２のフローチャートである。
【図４】実施の形態１に係る給湯システムにおける積算値の表示例を説明する概念図である。
【図５】表示部での表示内容の遷移図の第１の例である。
【図６】表示部での表示内容の遷移図の第２の例である。
【図７】実施の形態２に係る給湯システムの構成を説明するためのブロック図である。
【図８】実施の形態２に係る給湯システムにおける使用量管理のための制御処理を説明する第１のフローチャートである。
【図９】実施の形態２に係る給湯システムにおける使用量管理のための制御処理を説明する第２のフローチャートである。
【図１０】実施の形態２に係る給湯システムにおける積算値の表示例を説明する概念図である。
【図１１】実施の形態３に係る給湯システムの構成を説明するためのブロック図である。
【発明を実施するための形態】
【００１３】
以下、本発明の実施の形態について図面を参照して詳細に説明する。なお以下では、図中の同一または相当部分には同一符号を付してその説明は原則的に繰返さないものとする。
【００１４】
［実施の形態１］
図１は、本発明の実施の形態１に係る給湯システム１００ａの構成を説明するためのブロック図である。
【００１５】
図１を参照して、給湯システム１００ａは、給湯機能を実現するための給湯回路２と、風呂追焚機能を実現するための追焚循環回路３と、浴槽１２０へ浴槽水（湯および水の両方を含む）を供給するための注湯回路４と、コントローラ６とを備える。給湯システム１００ａは、図示しない配管によって、浴室１１０に配設された浴槽１２０と連結される。
【００１６】
給湯システム１００ａは、給湯栓１３０等への給湯機能、浴槽１２０への風呂湯張り機能、および、浴槽１２０内の湯を循環させる追焚機能等の各機能を併用する複合熱源機型で構成される。すなわち、給湯システム１００ａは、給湯先に浴槽１２０を含んでいる。
【００１７】
コントローラ６は、リモートコントローラ（以下、「リモコン」とも称する）７に入力されるユーザ操作に基づき、給湯システム１００ａがユーザ指示に従って運転されるように、給湯回路２、追焚循環回路３、および、注湯回路４の動作を制御する。すなわち、各回路に含まれる各種機器の動作も、コントローラ６からの指令に応じて制御される。たとえば、コントローラ６は、マイクロコンピュータやメモリ等を含んで構成することができる。リモコン７は、台所や浴室１１０の内部に設けられることが一般的である。
【００１８】
給湯回路２は、燃焼バーナ２０と、給湯用の一次熱交換器２１および二次熱交換器２４とを含む。燃焼バーナ２０は、図示しない燃料供給系から流量調整弁を経由した燃料ガスの供給を受けて、燃焼作動するように構成される。
【００１９】
一次熱交換器２１は、燃焼バーナ２０の燃焼ガスの顕熱（燃焼熱）により入水を熱交換によって加熱する。給湯回路２へは、入水路２２から水道水等が給水される。二次熱交換器２４は、たとえば、排気集合筒内に配設される。二次熱交換器２４は、燃焼バーナ２０からの燃焼排ガスの潜熱によって通流された低温水を熱交換によって加熱する。
【００２０】
入水路２２の水は、まず二次熱交換器２４によって予熱された後、一次熱交換器２１において主加熱される。一次熱交換器２１および二次熱交換器２４によって所定温度まで加熱された高温水は、出湯路２３へ出力される。さらに、入水路２２には、流量センサ２６および入水温度センサ２７が介装される。出湯路２３には、流量制御弁２８や給湯温度センサ２９が介装される。
【００２１】
入水路２２および出湯路２３の間には、バイパス弁２５によって流量が制御されるバイパス路２６ａが設けられる。バイパス弁２５の開度に応じて、入水路２２の低温水の一部が入水路２２から、一次熱交換器２１および二次熱交換器２４を通過しないバイパス路２６ａへ分流される。バイパス路２６ａへ分流しない残りの低温水は、一次熱交換器２１および二次熱交換器２４を通過する缶体流路２６ｂへ送られる。
【００２２】
出湯路２３は、合流点７５においてバイパス路２６ａと接続される。一次熱交換器２１および二次熱交換器２４を通過した高温水と、バイパス路２６ａからの低温水とを混合した適温の湯を出力することができる。これにより、給湯回路２は、適温の湯を、給湯栓１３０や注湯回路４などに出力することができる。
【００２３】
追焚循環回路３は、燃焼バーナ３０と、追焚用の一次熱交換器３１および二次熱交換器３４と、追焚用の循環ポンプ３３とを含む。燃焼バーナ３０は、燃焼バーナ２０と同様に、図示しない燃料供給系から燃料ガスを供給されることによって、燃焼作動する。
【００２４】
一次熱交換器３１は、燃焼バーナ３０の燃焼ガスの顕熱（燃焼熱）により通流された水を加熱する。二次熱交換器３４は、燃焼バーナ３０からの燃焼排ガスの潜熱によって通流された水を加熱する。
【００２５】
追焚循環回路３には、戻り回路３２ａおよび往き回路３２ｂが設けられる。戻り回路３２ａは、浴槽１２０に設けられた図示しない循環アダプタの吸込口と接続される。往き回路３２ｂは、当該循環アダプタの吐出口と接続される。
【００２６】
循環ポンプ３３が作動すると、浴槽１２０からの浴槽水は、循環アダプタの吸込口（図示せず）から、戻り回路３２ａ、二次熱交換器３４および一次熱交換器３１、ならびに、往き回路３２ｂを経由して、循環アダプタの吐出口（図示せず）へ至る経路を循環する。これにより、浴槽１２０と一次熱交換器３１および二次熱交換器３４との間に浴槽水を循環させる追焚循環経路が形成される。
【００２７】
追焚循環経路を通流する浴槽水（以下、循環水）は、二次熱交換器３４の通流により燃焼排ガスからの潜熱回収によって予熱された後、一次熱交換器３１の通流により主加熱される。追焚循環経路の循環水を、一次熱交換器３１および二次熱交換器３４で加熱することにより、追焚機能が実現される。
【００２８】
循環ポンプ３３の下流側の戻り回路３２ａには、水流スイッチ３６が介装される。水流スイッチ３６は、所定量を超えた通流があった場合にオンされる一方で、そうでない場合にはオフされる。追焚運転時に、水流スイッチ３６がオンすると、燃焼バーナ３０の燃焼が開始される。
【００２９】
注湯回路４は、注湯路４１と、注湯ユニット４２とを含む。注湯路４１は、給湯回路２の出湯路２３から上流端が分岐される。注湯路４１は、注湯ユニット４２を経由して、追焚循環経路（戻り回路３２ａ）に合流するように配置される。注湯ユニット４２は、開閉切換により注湯の実行および遮断を切換えるための注湯電磁弁や縁切り弁等がユニット化されて構成される。
【００３０】
給湯システム１００ａでは、リモコン７によって、種々の運転指示を入力することができる。これらの運転指示には、浴槽１２０に関連してエネルギ（図１の例では、ガス）および／または湯水を消費する運転指示が含まれる。
【００３１】
たとえば、「風呂湯張り運転」が指示されると、給湯回路２からの湯が、注湯回路４を用いて浴槽１２０へ供給される。このときには、図示しない水位センサの検出値に基づいて、浴槽水位が所定レベルに達するまで、給湯回路２から注湯回路４を経由した注湯を継続することができる。
【００３２】
また、「追焚運転」がリモコン７によって指示された場合には、一定時間循環ポンプ３３を作動させて、追焚循環回路３に浴槽水を循環させることにより、浴槽水を昇温することができる。
【００３３】
「足し湯運転」がリモコン７によって指示されると、注湯回路４は、燃焼バーナ２０が燃焼運転している下で、給湯回路２からの湯を一定時間または一定量浴槽１２０へ供給する。また、「足し水運転」がリモコン７によって指示されると、燃焼バーナ２０が停止された下で給湯回路２を通流した水（非加熱）が注湯回路４から浴槽１２０に供給される。
【００３４】
また、風呂自動運転モードがリモコン７によって入力されている場合には、上記「風呂湯張り運転」による浴槽１２０へ給湯後、浴槽水温を一定温度に維持するために、追焚運転を自動的に起動する「保温運転」および、水位センサ（図示せず）による浴槽水位の低下検出に応じて足し湯運転を自動的に起動する「補給水運転」を実行することができる。
【００３５】
給湯システム１００ａでは、流量センサ２６による検出値によって、湯水の使用量を求めることができる。
【００３６】
また、コントローラ６は、給湯回路２における出湯温度制御のため、および、追焚循環回路３での追焚制御のために、入水温度センサ２７、給湯温度センサ２９および流量センサ２６等の検出値、ならびに、バイパス弁２５の開度（バイパス路２６ａの流量比率）に従って、燃焼バーナ２０，３０に対する要求発生熱量を逐次算出する。そして、燃焼バーナ２０での燃焼条件（バーナの燃焼本数およびガス流量）は、出湯温度制御のために算出される要求発生熱量から設定される。
【００３７】
したがって、コントローラ６は、燃焼バーナ２０，３０に対する要求発生熱量から、燃焼のためのエネルギ（ガス）の使用量を求めることができる。
【００３８】
ここで、上述した、浴槽１２０に関連してエネルギ（図１の例では、ガス）および／または湯水の消費を伴う所定の運転指示の実行時には、当該期間における湯水およびエネルギの使用量を、浴槽１２０での使用量（以下、浴槽使用量）とみなすことができる。反対に、所定の運転指示の実行時以外では、当該期間における湯水およびエネルギの使用量を、浴槽以外での使用量とみなすことができる。
【００３９】
このようにすると、注湯回路４に流量センサが設けられていなくても、流量センサ２６によって検出された給湯回路２のトータル流量を、浴槽での使用と、浴槽以外での使用とに区分することができる。
【００４０】
なお、図１の構成例では、流量センサ２６が、バイパス路２６ａおよび缶体流路２６ｂの流量の和であるトータル流量を検出するように配置されているが、バイパス弁２５の開度から求められるバイパス路の分流比率を反映して、一次熱交換器２１および二次熱交換器２４を通過する缶体流路２６ｂの流量を算出することが可能である。
【００４１】
あるいは、流量センサ２６は、缶体流路２６ｂに配置することも可能である。この場合には、流量センサ２６による検出値と、バイパス弁２５の開度に対応する分流比率から、トータル流量を演算によって求めることができる。すなわち、各時点での使用量に相当するトータル流量は、流量センサ２６によって直接検出してもよく、演算によって求めてもよい。
【００４２】
なお、各時点での要求発生熱量に従うエネルギ（ガス）の使用量についても同様に、所定の運転指示の実行と、非実行時とで、浴槽使用量と、浴槽以外の使用量とを区分することができる。なお、エネルギ使用量を測定するためのセンサが別途配置されている構成では、当該センサの検出値によって各時点でのエネルギ使用量を求めることも可能である。
【００４３】
図２は、実施の形態１に係る給湯システムにおける使用量管理のための制御処理を説明する第１のフローチャートである。図２従う制御処理は、コントローラ６によって、給湯システム１００ａの電源が投入された期間において周期的に実行される。
【００４４】
図２を参照して、コントローラ６は、ステップＳ１００により、現時点での湯水および／またはエネルギ（ガス）の使用量Ｄｕを取得する。使用量Ｄｕは、流量センサ２６による検出値から求められるトータル流量（湯水）と、図２の制御処理が実行される時間間隔との積、および、コントローラ６において要求発生熱量から算出された燃焼消費量（単位時間当たり）と上記時間間隔との積によって求めることができる。ステップＳ１００での処理により「検出手段」の機能が実現される。
【００４５】
コントローラ６は、ステップＳ１１０により、浴槽１２０に関連してエネルギおよび／または湯水の消費を伴う所定の運転指示の実行期間であるかどうかを判定する。たとえば、ユーザによる直接指示により、あるいは、風呂自動モードでの自動起動によって、上述した「風呂湯張り運転」、「追焚運転（保温運転による起動を含む）」、「足し湯運転」、「足し水運転」および「補給水運転」が実行されている期間において、ステップＳ１１０はＹＥＳ判定とされる。一方で、それ以外の期間では、ステップＳ１１０はＮＯ判定とされる。
【００４６】
コントローラ６は、所定の運転指示の実行期間（Ｓ１１０のＹＥＳ判定時）には、ステップＳ１２０に処理を進めて、積算値ＳＵＭ１に、ステップＳ１００で取得された使用量Ｄｕを加算する。
【００４７】
一方で、コントローラ６は、所定の運転指示の非実行期間（Ｓ１１０のＮＯ判定時）には、ステップＳ１３０により、積算値ＳＵＭ２に、ステップＳ１００で求められた使用量Ｄｕを加算する。さらに、コントローラ６は、ステップＳ１４０により、ステップＳ１２０で求められた積算値ＳＵＭ１と、ステップＳ１３０で求められた積算値ＳＵＭ２との加算によって、トータル積算値Ｔｓｕｍを算出する。
【００４８】
あるいは、図３のフローチャートのような処理によっても、同様の積算値ＳＵＭ１，ＳＵＭ２と、トータル積算値Ｔｓｕｍを求めることができる。
【００４９】
図３は、実施の形態１に係る給湯システムにおける使用量管理のための制御処理を説明する第２のフローチャートである。図３に従う制御処理についても、図２の制御処理と同様に、給湯システム１００ａの電源が投入された期間において周期的に実行することができる。
【００５０】
図３を参照して、コントローラ６は、図２と同様のステップＳ１００により、現時点での湯水および／またはエネルギ（ガス）の使用量Ｄｕを取得すると、ステップＳ１０５により、トータル積算値Ｔｓｕｍに、ステップＳ１００で取得された使用量Ｄｕを加算する。
【００５１】
さらに、コントローラ６は、図２と同様のステップＳ１１０，Ｓ１２０により、所定の運転指示の実行期間（Ｓ１１０のＹＥＳ判定時）には、ステップＳ１２０に処理を進めて、積算値ＳＵＭ１に、ステップＳ１００で取得された使用量Ｄｕを加算する。一方で、所定の運転指示の非実行期間（Ｓ１１０のＮＯ判定時）には、ステップＳ１２０の処理はスキップされる。
【００５２】
コントローラ６は、ステップＳ１３５により、ステップＳ１０５で求められたトータル積算値ＴｓｕｍからステップＳ１２０で求められた積算値ＳＵＭ１を減算することによって、図２と同様の積算値ＳＵＭ２を算出することができる。
【００５３】
このように、図２および図３において、ステップＳ１１０，Ｓ１２０での処理によって「第１の積算手段」の機能を実現するとともに、ステップＳ１１０，Ｓ１３０（図２）またはステップＳ１０５，Ｓ１３５（図３）での処理によって、「第２の積算手段」の機能を実現することができる。すなわち、積算値ＳＵＭ１は「第１の積算値」に対応し、積算値ＳＵＭ２およびＴｓｕｍの各々は「第２の積算値」に対応する。
【００５４】
このようにすると、給湯システム１００ａは電源オンの各タイミングにおいて、単位時間内でのエネルギおよび／または湯水の使用量を、積算値ＳＵＭ１（浴槽関連）および積算値ＳＵＭ２（浴槽以外）に細分化して管理することができる。なお、これらの積算値は、積算期間の異なる複数のデータ（日間積算値／週間積算値／月間積算値／年間積算値等）を別個に求めることが好ましい。
【００５５】
図４は、実施の形態１に係る給湯システム１００ａにおける積算値の表示例を説明する概念図である。
【００５６】
図４を参照して、リモコン７の表示部８は、たとえば、液晶マトリックスディスプレイで構成することができる。リモコン７には、給湯システム１００ａの電源オンオフを切換えるための運転スイッチ１１に加えて、エネルギに関する表示を起動するためのスイッチ１２がさらに設けられる。表示部８は「表示手段」の一実施例に対応する。さらに、設定湯温などの数値データを上昇ないし下降するためのスイッチ１３，１４がさらに設けられてもよい。
【００５７】
図４の表示例では、トータル積算値Ｔｓｕｍに相当するトータル使用量と、浴槽関連の積算値ＳＵＭ１に相当する浴槽使用量と、浴槽以外での積算値ＳＵＭ２に相当するその他使用量とが、同一画面上に並べて表示されている。なお、「第２の積算値」に対応する積算値ＳＵＭ２（浴槽以外使用量）および積算値Ｔｓｕｍ（トータル使用量）については、いずれか一方のみの表示としてもよい。
【００５８】
図５には、表示部８での表示内容の遷移図の第１の例が示される。
図５を参照して、スイッチ１２の操作によってエネルギに関する表示が起動されると、さらなるスイッチ１２の操作によって、湯水のトータル使用量が表示される状態となる。
【００５９】
さらに、トータル使用量の表示画面において、スイッチ１３または１４を操作することにより、浴槽使用量および浴槽以外の使用量が細分化された表示画面（たとえば、図４）が表示される。この状態から、スイッチ１３または１４が操作されると、湯水のトータル使用量が表示される画面に戻される。
【００６０】
そして、湯水のトータル使用量が表示される画面において、スイッチ１２が操作されると、エネルギ関連の表示内容が切換わる。たとえば、エネルギのトータル使用量を表示する画面を、表示部８によって表示することができる。この表示画面において、スイッチ１４が操作されると、エネルギのトータル使用量について、図３と同様の細分化表示に遷移することが可能である。そして、細分化表示において、スイッチ１３が操作されると、トータル使用量表示画面に復帰することができる。
【００６１】
なお、図４では、トータル使用量（Ｔｓｕｍ）、浴槽使用量（ＳＵＭ１）および、その他使用量（ＳＵＭ２）を数値情報として表示する例を示したが、これらの使用量については、棒グラフ化された図形情報として表示することも可能である。すなわち、浴槽使用量（ＳＵＭ１）に係る数値情報および／または図形情報は「第１の情報」に対応し、トータル使用量（Ｔｓｕｍ）またはその他使用量（ＳＵＭ２）に係る数値情報および／または図形情報は「第２の情報」に対応する。
【００６２】
図６には、表示部８での表示内容の遷移図の第２の例が示される。
先の図５の例では、トータル使用量（Ｔｓｕｍ）、浴槽使用量（ＳＵＭ１）および、その他使用量（ＳＵＭ２）を同一画面上で並べて表示したが、図６の例では、トータル使用量（Ｔｓｕｍ）、浴槽使用量（ＳＵＭ１）および、その他使用量（ＳＵＭ２）が順番に切換え表示される。
【００６３】
すなわち、スイッチ１２の操作によってエネルギに関する表示が起動された後、スイッチ１２３，１４によるカーソル移動等によって特定の表示指示が入力されると、細分化表示が起動される。
【００６４】
図６の例の細分化表示では、トータル使用量（Ｔｓｕｍ）、浴槽使用量（ＳＵＭ１）および、その他使用量（ＳＵＭ２）のうちのいずれかが表示される。すなわち、エネルギのトータル使用量が表示部８に表示された状態から、スイッチ１３または１４の操作に応じて、トータル使用量（Ｔｓｕｍ）の表示画面、浴槽使用量（ＳＵＭ１）の表示画面、および、その他使用量（ＳＵＭ２）が切換わるように、表示部８での表示内容の遷移を制御することができる。
【００６５】
なお、各使用量の表示画面では、同一の使用量について、積算期間が異なる複数の積算値を表示してもよい。また、トータル使用量（Ｔｓｕｍ）およびその他使用量（ＳＵＭ２）については、一方のみを切換え表示の対象とすることも可能である。
【００６６】
このように、実施の形態１に係る給湯装置によれば、ユーザから入力される運転指示の峻別によって、所定の運転指示の実行期間であるか否かを判定する簡易な手法で、給湯システム１００ａでのエネルギ（ガス）および湯水の使用量の少なくとも一方について、浴槽１２０での使用量を管理して、その他の使用量および／またはトータル使用量と比較することが可能となる。これにより、ユーザが各使用量を節約するためのアクションを取り易くなるので、ユーザ利便性を高めることができる。
【００６７】
さらに、区分して管理された、浴槽１２０での使用量と、浴槽１２０以外の使用量とを表示部８によってユーザが視認できる情報（数値情報や図形情報）として出力することにより、ユーザ利便性をさらに高めることができる。
【００６８】
［実施の形態２］
図７は、実施の形態２に係る給湯システム１００ｂの構成を説明するブロック図である。
【００６９】
図７に示される給湯システム１００ｂは、浴室１１０内に、人の存在を検知する人感知センサ１１５が配置されており、コントローラ６に対して、人感知センサ１１５からの信号が入力される点で異なる。給湯システム１００ｂのその他の点は、給湯システム１００ａと同様であるので、詳細な説明は繰返さない。なお、人感知センサ１１５は、浴室１１０の内部に配置されたリモコン７と一体的に配置されてもよい。
【００７０】
給湯システム１００ｂでは、人感知センサ１１５からの信号に基づいて、浴室１１０内に人がいる場合における湯水および／またはエネルギの使用量を、シャワー使用量としてさらに区分して管理することが可能となる。人感知センサ１１５としては、赤外線センサ等の公知のセンサを任意に適用することができる。
【００７１】
図８は、実施の形態２に係る給湯システムにおける使用量管理のための制御処理を説明する第１のフローチャートである。図７に従う制御処理は、図２および図３の制御処理と同様に、給湯システム１００ａの電源が投入された期間において周期的に実行することができる。
【００７２】
図８を参照して、コントローラ６は、図２と同様のステップＳ１００〜Ｓ１３０を実行する。これにより、所定の運転指示の実行期間（Ｓ１１０のＹＥＳ判定時）には、積算値ＳＵＭ１にステップＳ１００で取得された使用量Ｄｕが加算される（Ｓ１２０）。一方で、所定の運転指示の非実行期間（Ｓ１１０のＮＯ判定時）には、積算値ＳＵＭ２にステップＳ１００で取得された使用量Ｄｕが加算される（Ｓ１３０）。
【００７３】
さらに、コントローラ６は、所定の運転指示の非実行期間（Ｓ１１０のＮＯ判定時）には、ステップＳ１３０に加えて、ステップＳ１５０により、人感知センサ１１５からの信号に基づき、浴室内に人が検知されているか否かを判定する。
【００７４】
コントローラ６は、人の存在が検知されているとき（Ｓ１５０のＹＥＳ判定時）には、ステップＳ１６０により、ステップＳ１００で取得された使用量Ｄｕを積算値ＳＵＭ３に加算する。一方で、人の存在が検知されているとき（Ｓ１５０のＮＯ判定時）には、ステップＳ１６０の処理はスキップされる。これにより、浴槽関連の所定の運転指示の非実行期間における使用量から、浴室内に人が検知された期間における使用量をシャワーに関する使用量として区分することができる。
【００７５】
コントローラ６は、ステップＳ１４０では、積算値ＳＵＭ１（Ｓ１２０）および積算値ＳＵＭ３（Ｓ１３０）の加算によってトータル積算値Ｔｓｕｍを算出するとともに、積算値ＳＵＭ２（Ｓ１３０）から積算値ＳＵＭ３を減算することによって、積算値ＳＵＭ４を算出する。積算値ＳＵＭ４は、浴槽以外での使用量から、シャワー使用量を差し引いた、台所その他での使用量に相当する。
【００７６】
あるいは、図９のフローチャートのような処理によっても、同様の積算値ＳＵＭ１〜ＳＵＭ４と、トータル積算値Ｔｓｕｍを求めることができる。
【００７７】
図９は、実施の形態２に係る給湯システムにおける使用量管理のための制御処理を説明する第２のフローチャートである。図９に従う制御処理についても、図８の制御処理と同様に、給湯システム１００ａの電源が投入された期間において周期的に実行することいができる。
【００７８】
図９を参照して、コントローラ６は、図３と同様のステップＳ１００，Ｓ１０５により、現時点での湯水および／またはエネルギ（ガス）の使用量Ｄｕを取得するとともに、トータル積算値Ｔｓｕｍに、ステップＳ１００で取得された使用量Ｄｕを加算する。
【００７９】
さらに、コントローラ６は、図８と同様のステップＳ１１０，Ｓ１２０により、所定の運転指示の実行期間（Ｓ１１０のＹＥＳ判定時）には、ステップＳ１２０に処理を進めて、積算値ＳＵＭ１に、ステップＳ１００で取得された使用量Ｄｕを加算する。一方で、所定の運転指示の非実行期間（Ｓ１１０のＮＯ判定時）には、図８と同様のステップＳ１５０，Ｓ１６０により、人の存在が検知されているとき（Ｓ１５０のＹＥＳ判定時）には、ステップＳ１００で取得された使用量Ｄｕを積算値ＳＵＭ３に加算する。
【００８０】
コントローラ６は、ステップＳ１３５により、ステップＳ１０５で求められたトータル積算値ＴｓｕｍからステップＳ１２０で求められた積算値ＳＵＭ１を減算することによって、図２と同様の積算値ＳＵＭ２を算出することができる。これにおり、積算値ＳＵＭ２から積算値ＳＵＭ３（Ｓ１６０）を減算することによって、図７と同様の積算値ＳＵＭ４を求めることができる。
【００８１】
このように、図８よび図９において、ステップＳ１５０，Ｓ１６０での処理によって「第３の積算手段」の機能を実現することができる。
【００８２】
このように、実施の形態２に係る給湯システムでは、エネルギおよび／または湯水の使用量について、実施の形態１での積算値ＳＵＭ１（浴槽関連）および積算値ＳＵＭ２（浴槽以外）への区分に加えて、積算値ＳＵＭ２（浴槽以外）を、積算値ＳＵＭ３（シャワー関連）および積算値ＳＵＭ４（シャワー以外、すなわち、台所その他）にさらに細分化することができる。なお、積算値ＳＵＭ３，ＳＵＭ４についても、積算値ＳＵＭ１，ＳＵＭ２と同様に、積算期間の異なる複数のデータ（日間積算値／週間積算値／月間積算値／年間積算値等）を別個に求めることが好ましい。
【００８３】
図１０は、実施の形態２に係る給湯システム１００ｂにおける積算値の表示例を説明する概念図である。
【００８４】
図１０の表示例では、図４の表示例と同様に、トータル積算値Ｔｓｕｍに相当するトータル使用量と、浴槽関連の積算値ＳＵＭ１に相当する浴槽使用量と、シャワー関連の積算値ＳＵＭ３に相当するシャワー使用量と、積算値ＳＵＭ４に相当する台所その他での使用量とが、同一画面上に並べて表示されている。
【００８５】
なお、浴槽使用量（ＳＵＭ１）と、シャワー使用量（ＳＵＭ３）とを最低限の表示として含んだ上で、トータル積算値Ｔｓｕｍおよび積算値ＳＵＭ１〜ＳＵＭ４に係る数値情報および／または図形情報の任意の組み合わせを表示部８に表示することが可能である。このような細分化表示は、図５で説明したのと同様のスイッチ操作によって、起動および表示切換えが可能である。
【００８６】
また、上記のような積算値の組合わせについては、図６で説明したのと同様に、スイッチ操作に応じて、同一画面上で順番に切換え表示することも可能である。また、実施の形態２では、積算値ＳＵＭ１およびＳＵＭ３については、両者の和（ＳＵＭ１＋ＳＵＭ３）、すなわち、浴槽関連の使用量とシャワー関連の使用量との和を「浴室使用量」として、数値情報および／または図形情報を表示部８に表示することも可能である。なお、実施の形態２において、シャワー使用量（ＳＵＭ３）に係る数値情報および／または図形情報は「第３の情報」に対応する。
【００８７】
［実施の形態３］
図１１は、実施の形態３に係る給湯システム１００ｃの構成を説明するブロック図である。
【００８８】
図１１を参照して、実施の形態３に係る給湯システム１００ｃは、実施の形態１に係る給湯システム１００ａ（図１）と比較して、追焚循環回路３および注湯回路４を具備しない点で異なる。
【００８９】
一方で、給湯システム１００ｃでは、出湯路２３に自動的に開閉制御される開閉弁５０が配置されている。開閉弁５０は、コントローラ６からの信号に応じて開閉される電磁弁によって構成することができる。さらに、給湯装置１００ｃの外部での配管の分岐により、出湯路２３から浴槽１２０の給湯栓１３１に至る給湯経路が設けられる。
【００９０】
給湯システム１００ｃでは、リモコン７によって、「風呂湯張り運転」の運転指示を入力することができる。風呂湯張り運転では、給湯栓１３１が開栓されている状態で、給湯回路２が給湯運転することにより、開放状態の開閉弁５０を経由して浴槽１２０へ給湯することができる。浴槽１２０への給湯量は、風呂湯張り運転中の流量センサ２６による検出値によって管理できる。浴槽１２０への給湯量が、所定量に達すると開閉弁５０が閉止されるとともに、燃焼バーナ２０による燃焼が停止されて、風呂湯張り運転が終了される。
【００９１】
コントローラ６は、風呂湯張り運転の開始時には、リモコン７を用いて、給湯栓１３１の開栓の確認を促すメッセージを出力することが好ましい。さらに、風呂湯張り運転の終了時には、リモコン７から、給湯栓１３１の閉栓を促すメッセージが出力されることが好ましい。
【００９２】
一方で、給湯システム１００ｃでは、追焚循環回路３および注湯回路４が配置されていないため、「追焚運転」、「保温運転」および、「補給水運転」を実行することはできない。また、ユーザは給湯栓１３１の操作により、浴槽への足し湯および足し水を実行することはできるが、このような足し湯および足し水の実行をコントローラ６では認識することができない。
【００９３】
したがって、実施の形態３の給湯システム１００ｃでは、「風呂湯張り運転」を図２および図３のステップＳ１１０での「所定モード」とすることで、実施の形態１と同様に、ネルギおよび／または湯水の使用量を、積算値ＳＵＭ１（浴槽関連）および積算値ＳＵＭ２（浴槽以外）に区分して積算することができる。
【００９４】
このように、追焚機能を有さない簡易な構成の給湯システムに対しても、実施の形態１と同様に、浴槽１２０での使用量を区分管理して、その他の使用量および／またはトータル使用量と比較することが可能となる。また、浴室１１０に人感知センサ１１５（図７）が配置された構成では、実施の形態２と同様に、浴槽１２０以外での使用量からシャワー使用量を区分することも可能である。さらに、実施の形態１または２と同様の使用量の細分化表示を行うことができる。
【００９５】
なお、本実施の形態では、ガスの燃焼によって低温水を加熱する給湯システムを例示したが、加熱のためのエネルギはガスに限定されるものではない。給湯システムで使用されるエネルギを対象に当該エネルギの使用量を本実施の形態に従って管理することができる。
【００９６】
また、「検出手段」ならびに「第１から第３の積算手段」については、湯水の使用量おおびエネルギ（ガス）の使用量の一方に対応して設けることで、当該使用量について本実施の形態で説明した比較表示が可能となるが、本発明は、これらの使用量の一方のみを比較表示する構成に向けられるものではない点について確認的に記載する。すなわち、湯水の使用量およびはエネルギ（ガス）の使用量の各々について、「検出手段」ならびに「第１から第３の積算手段」を設けることによって、本実施の形態で説明した比較表示の対象とすることが可能である。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
２  給湯回路、３  追焚循環回路、４  注湯回路、６  コントローラ、７  リモコン、８  表示部、１１  運転スイッチ、１２，１３，１４  スイッチ、２０，３０  燃焼バーナ、２１，３１  一次熱交換器、２２  入水路、２３  出湯路、２４，３４  二次熱交換器、２５  バイパス弁、２６  流量センサ、２６ａ  バイパス路、２６ｂ  缶体流路、２７  入水温度センサ、２８  流量制御弁、２９  給湯温度センサ、３２ａ  回路、３２ｂ  往き回路、３３  循環ポンプ、３６  水流スイッチ、４１  注湯路、４２  注湯ユニット、５０  開閉弁、７５  合流点、１００ａ，１００ｂ，１００ｃ  給湯システム、１１０  浴室、１１５  人感知センサ、１２０  浴槽、１３０，１３１  給湯栓、Ｄｕ  使用量、ＳＵＭ１〜ＳＵＭ４  積算値、Ｔｓｕｍ  トータル積算値。
【図１】
2018105565.tif 000003
【図２】
2018105565.tif 000004
【図３】
2018105565.tif 000005
【図４】
2018105565.tif 000006
【図５】
2018105565.tif 000007
【図６】
2018105565.tif 000008
【図７】
2018105565.tif 000009
【図８】
2018105565.tif 000010
【図９】
2018105565.tif 000011
【図１０】
2018105565.tif 000012
【図１１】
2018105565.tif 000013